(57)【要約】  ＬＴＥシステムは、ＬＴＥ通信の一方式であって近傍の装置間で直接的に通信を行うＤ２Ｄ通信をサポートするｅＮＢ２００−２と、ＬＴＥネットワークに含まれるｅＮＢ２００−１と、を有する。通信制御方法は、ｅＮＢ２００−２が、Ｄ２Ｄ通信リソースの割り当てをｅＮＢ２００−１に要求するステップＳ１１と、ｅＮＢ２００−１が、ｅＮＢ２００−２からの要求に基づいて、複数の移動体ネットワークオペレータ又は複数の通信システムが共用する特定周波数帯の中からＤ２Ｄ通信リソースをｅＮＢ２００−２に割り当てるステップＳ１２と、ｅＮＢ２００−２が、ｅＮＢ２００−１から割り当てられたＤ２Ｄ通信リソースを用いてＤ２Ｄ通信を行うステップＳ１６と、を有する。
2015159756.tif 000002
【特許請求の範囲】
【請求項１】
移動体通信の一方式であって近傍の装置間で直接的に通信を行うＤ２Ｄ通信をサポートする無線通信装置と、移動体ネットワークに含まれるリソース管理装置と、を有する移動体通信システムにおいて用いられる通信制御方法であって、
前記無線通信装置が、前記Ｄ２Ｄ通信に利用可能な無線リソースであるＤ２Ｄ通信リソースの割り当てを前記リソース管理装置に要求するステップＡと、
前記リソース管理装置が、前記無線通信装置からの要求に基づいて、複数の移動体ネットワークオペレータ又は複数の通信システムが共用する特定周波数帯の中から、前記Ｄ２Ｄ通信リソースを前記無線通信装置に割り当てるステップＢと、
前記無線通信装置が、前記リソース管理装置から割り当てられた前記Ｄ２Ｄ通信リソースを用いて、前記Ｄ２Ｄ通信を行うステップＣと、を有することを特徴とする通信制御方法。
【請求項２】
前記リソース管理装置は、前記移動体ネットワークに含まれる基地局であることを特徴とする請求項１に記載の通信制御方法。
【請求項３】
前記無線通信装置は、前記Ｄ２Ｄ通信をサポートする基地局であり、バックホール回線を介して前記リソース管理装置との通信を行うことを特徴とする請求項１に記載の通信制御方法。
【請求項４】
前記無線通信装置は、ユーザ端末の機能を有する基地局であり、前記ユーザ端末として前記移動体ネットワークに登録し、無線回線を介して前記リソース管理装置との通信を行うことを特徴とする請求項１に記載の通信制御方法。
【請求項５】
前記無線通信装置は、前記Ｄ２Ｄ通信におけるスケジューリング機能を有するユーザ端末であり、無線回線を介して前記リソース管理装置との通信を行うことを特徴とする請求項１に記載の通信制御方法。
【請求項６】
前記Ｄ２Ｄ通信リソースは、ユーザデータに相当するＤ２Ｄ通信データの送信及び前記Ｄ２Ｄ通信の制御に必要なＤ２Ｄ制御情報の送信に共用される無線リソースであり、
前記ステップＣは、前記リソース管理装置から割り当てられた前記Ｄ２Ｄ通信リソースを用いて、前記Ｄ２Ｄ通信データ及び前記Ｄ２Ｄ制御情報を送信するステップを含むことを特徴とする請求項１に記載の通信制御方法。
【請求項７】
前記Ｄ２Ｄ通信リソースとＤ２Ｄ制御リソースとの対応関係が予め規定されており、
前記ステップＣは、
前記リソース管理装置から割り当てられた前記Ｄ２Ｄ通信リソースを用いて、ユーザデータに相当するＤ２Ｄ通信データを送信するステップと、
前記リソース管理装置から割り当てられた前記Ｄ２Ｄ通信リソースに対応する前記Ｄ２Ｄ制御リソースを用いて、前記Ｄ２Ｄ通信の制御に必要なＤ２Ｄ制御情報を送信するステップと、を含むことを特徴とする請求項１に記載の通信制御方法。
【請求項８】
前記ステップＢにおいて、前記リソース管理装置は、前記Ｄ２Ｄ通信リソースだけでなくＤ２Ｄ制御リソースも前記無線通信装置に割り当てており、
前記ステップＣは、
前記リソース管理装置から割り当てられた前記Ｄ２Ｄ通信リソースを用いて、ユーザデータに相当するＤ２Ｄ通信データを送信するステップと、
前記リソース管理装置から割り当てられた前記Ｄ２Ｄ制御リソースを用いて、前記Ｄ２Ｄ通信の制御のためのＤ２Ｄ制御情報を送信するステップと、を含むことを特徴とする請求項１に記載の通信制御方法。
【請求項９】
前記ステップＣは、
前記無線通信装置が、前記Ｄ２Ｄ通信の開始時において、前記Ｄ２Ｄ通信におけるチャネル推定に必要なＤ２Ｄ参照信号の送信を設定する設定情報を、前記無線通信装置との前記Ｄ２Ｄ通信を行うユーザ端末に送信するステップと、
前記ユーザ端末が、前記設定情報に基づいて、前記Ｄ２Ｄ参照信号を前記無線通信装置に送信するステップと、
前記無線通信装置が、前記Ｄ２Ｄ参照信号に基づいて、前記ユーザ端末に対するスケジューリングを行うステップと、を含むことを特徴とする請求項１に記載の通信制御方法。
【請求項１０】
前記ステップＣは、
前記無線通信装置が、前記Ｄ２Ｄ通信の開始時において、前記Ｄ２Ｄ通信における送信バッファ状態を示すＤ２Ｄバッファ状態報告の送信を設定する設定情報を、前記無線通信装置との前記Ｄ２Ｄ通信を行うユーザ端末に送信するステップと、
前記ユーザ端末が、前記設定情報に基づいて、前記Ｄ２Ｄバッファ状態報告を前記無線通信装置に送信するステップと、
前記無線通信装置が、前記Ｄ２Ｄバッファ状態報告に基づいて、前記ユーザ端末に対するスケジューリングを行うステップと、を含むことを特徴とする請求項１に記載の通信制御方法。
【請求項１１】
前記リソース管理装置が、前記Ｄ２Ｄ通信の状況に関するＤ２Ｄ通信パラメータの報告を前記無線通信装置に要求するステップＤと、
前記無線通信装置が、前記リソース管理装置からの要求に応じて、前記Ｄ２Ｄ通信パラメータを前記リソース管理装置に報告するステップＥと、をさらに有し、
前記Ｄ２Ｄ通信パラメータは、前記Ｄ２Ｄ通信の制御に必要なＤ２Ｄ制御情報、特定の無線リソースにおける干渉情報、前記Ｄ２Ｄ通信におけるチャネル推定の情報、のうち少なくとも１つを含むことを特徴とする請求項１に記載の通信制御方法。
【請求項１２】
前記干渉情報は、前記特定の無線リソースを示すリソース識別情報及び干渉レベルを示す干渉レベル情報を含むことを特徴とする請求項１１に記載の通信制御方法。
【請求項１３】
前記ステップＤにおいて、前記リソース管理装置は、前記Ｄ２Ｄ通信パラメータの周期的な報告を前記無線通信装置に要求し、
前記ステップＥにおいて、前記無線通信装置は、前記Ｄ２Ｄ通信パラメータを周期的に前記リソース管理装置に報告することを特徴とする請求項１１に記載の通信制御方法。
【請求項１４】
前記ステップＤにおいて、前記リソース管理装置は、前記Ｄ２Ｄ通信パラメータの非周期的な報告を前記無線通信装置に要求するとともに、前記Ｄ２Ｄ通信パラメータを報告する条件を定める閾値を前記無線通信装置に通知し、
前記ステップＥにおいて、前記無線通信装置は、前記閾値に基づいて、前記Ｄ２Ｄ通信パラメータを非周期的に前記リソース管理装置に報告することを特徴とする請求項１１に記載の通信制御方法。
【請求項１５】
移動体通信の一方式であって近傍の装置間で直接的に通信を行うＤ２Ｄ通信をサポートする無線通信装置であって、
前記Ｄ２Ｄ通信に利用可能な無線リソースであるＤ２Ｄ通信リソースの割り当てを、移動体ネットワークに含まれるリソース管理装置に要求する制御部を有し、
前記無線通信装置には、複数の移動体ネットワークオペレータ又は複数の通信システムが共用する特定周波数帯の中から、前記Ｄ２Ｄ通信リソースが前記リソース管理装置から割り当てられ、
前記制御部は、前記リソース管理装置から割り当てられた前記Ｄ２Ｄ通信リソースを用いて、前記Ｄ２Ｄ通信を行うことを特徴とする無線通信装置。
【請求項１６】
移動体ネットワークに含まれるリソース管理装置であって、
移動体通信の一方式であって近傍の装置間で直接的に通信を行うＤ２Ｄ通信をサポートする無線通信装置から、前記Ｄ２Ｄ通信に利用可能な無線リソースであるＤ２Ｄ通信リソースの割り当ての要求を受信する受信部と、
前記要求に基づいて、複数の移動体ネットワークオペレータ又は複数の通信システムが共用する特定周波数帯の中から、前記Ｄ２Ｄ通信リソースを前記無線通信装置に割り当てる制御部と、を有することを特徴とするリソース管理装置。
【発明の詳細な説明】
【技術分野】
【０００１】
本発明は、移動体通信システムにおいて用いられる通信制御方法、無線通信装置、及びリソース管理装置に関する。
【背景技術】
【０００２】
移動体通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、急増するトラフィック需要に応えるべく、ＬＴＥ（Ｌｏｎｇ  Ｔｅｒｍ  Ｅｖｏｌｕｔｉｏｎ）を高度化する仕様策定が進められている（例えば非特許文献１参照）。【０００３】
一方で、複数の移動体ネットワークオペレータ又は複数の通信システムが共用する特定周波数帯が注目されている。そのような特定周波数帯としては、例えば、「アンライセンスドバンド」及び「ライセンスドシェアドバンド」が挙げられる。【０００４】
ここで、アンライセンスドバンドとは、免許不要で利用できる周波数帯である。ライセンスドシェアドバンドは、一の目的を持つ利用者（「周波数の一次利用者」と称される）のために割り当てられている周波数帯ではあるものの、地理的条件・技術的条件によっては他の目的を持つ利用者（「周波数の二次利用者」と称される）も利用可能とされる。
【先行技術文献】
【非特許文献】
【０００５】
【非特許文献１】３ＧＰＰ技術仕様書「ＴＳ３６．３００  Ｖ１２．０．１」  ２０１４年３月
【発明の概要】
【０００６】
一の実施形態に係る通信制御方法は、移動体通信の一方式であって近傍の装置間で直接的に通信を行うＤ２Ｄ通信をサポートする無線通信装置と、移動体ネットワークに含まれるリソース管理装置と、を有する移動体通信システムにおいて用いられる。前記通信制御方法は、前記無線通信装置が、前記Ｄ２Ｄ通信に利用可能な無線リソースであるＤ２Ｄ通信リソースの割り当てを前記リソース管理装置に要求するステップＡと、前記リソース管理装置が、前記無線通信装置からの要求に基づいて、複数の移動体ネットワークオペレータ又は複数の通信システムが共用する特定周波数帯の中から、前記Ｄ２Ｄ通信リソースを前記無線通信装置に割り当てるステップＢと、前記無線通信装置が、前記リソース管理装置から割り当てられた前記Ｄ２Ｄ通信リソースを用いて、前記Ｄ２Ｄ通信を行うステップＣと、を有する。
【０００７】
一の実施形態に係る無線通信装置は、移動体通信の一方式であって近傍の装置間で直接的に通信を行うＤ２Ｄ通信をサポートする。前記無線通信装置は、前記Ｄ２Ｄ通信に利用可能な無線リソースであるＤ２Ｄ通信リソースの割り当てを、移動体ネットワークに含まれるリソース管理装置に要求する制御部を有する。前記無線通信装置には、複数の移動体ネットワークオペレータ又は複数の通信システムが共用する特定周波数帯の中から、前記Ｄ２Ｄ通信リソースが前記リソース管理装置から割り当てられる。前記制御部は、前記リソース管理装置から割り当てられた前記Ｄ２Ｄ通信リソースを用いて、前記Ｄ２Ｄ通信を行う。
【０００８】
一の実施形態に係るリソース管理装置は、移動体ネットワークに含まれる。前記リソース管理装置は、移動体通信の一方式であって近傍の装置間で直接的に通信を行うＤ２Ｄ通信をサポートする無線通信装置から、前記Ｄ２Ｄ通信に利用可能な無線リソースであるＤ２Ｄ通信リソースの割り当ての要求を受信する受信部と、前記要求に基づいて、複数の移動体ネットワークオペレータ又は複数の通信システムが共用する特定周波数帯の中から、前記Ｄ２Ｄ通信リソースを前記無線通信装置に割り当てる制御部と、を有する。
【図面の簡単な説明】
【０００９】
【図１】第１実施形態及び第２実施形態に係るＬＴＥシステムの構成図である。
【図２】第１実施形態及び第２実施形態に係るＵＥのブロック図である。
【図３】第１実施形態及び第２実施形態に係るｅＮＢのブロック図である。
【図４】第１実施形態及び第２実施形態に係る無線インターフェイスのプロトコルスタック図である。
【図５】第１実施形態及び第２実施形態に係る無線フレームの構成図である。
【図６】第１実施形態に係るＬＴＥシステムの適用シナリオを示す図である。
【図７】第１実施形態に係る通信制御方法を示すシーケンス図である。
【図８】第２実施形態の変更例を示すシーケンス図である。
【発明を実施するための形態】
【００１０】
［実施形態の概要］
第１実施形態及び第２実施形態に係る通信制御方法は、移動体通信システムにおいて用いられる。前記移動体通信システムは、移動体通信の一方式であって近傍の装置間で直接的に通信を行うＤ２Ｄ通信をサポートする無線通信装置と、移動体ネットワークに含まれるリソース管理装置と、を有する。前記通信制御方法は、前記無線通信装置が、前記Ｄ２Ｄ通信に利用可能な無線リソースであるＤ２Ｄ通信リソースの割り当てを前記リソース管理装置に要求するステップＡと、前記リソース管理装置が、前記無線通信装置からの要求に基づいて、複数の移動体ネットワークオペレータ又は複数の通信システムが共用する特定周波数帯の中から、前記Ｄ２Ｄ通信リソースを前記無線通信装置に割り当てるステップＢと、前記無線通信装置が、前記リソース管理装置から割り当てられた前記Ｄ２Ｄ通信リソースを用いて、前記Ｄ２Ｄ通信を行うステップＣと、を有する。
【００１１】
第１実施形態及び第２実施形態では、前記リソース管理装置は、前記移動体ネットワークに含まれる基地局である。
【００１２】
第１実施形態では、前記無線通信装置は、前記Ｄ２Ｄ通信をサポートする基地局であり、バックホール回線を介して前記リソース管理装置との通信を行う。
【００１３】
第２実施形態では、前記無線通信装置は、ユーザ端末の機能を有する基地局であり、前記ユーザ端末として前記移動体ネットワークに登録し、無線回線を介して前記リソース管理装置との通信を行う。
【００１４】
或いは、第２実施形態では、前記無線通信装置は、前記Ｄ２Ｄ通信におけるスケジューリング機能を有するユーザ端末であり、無線回線を介して前記リソース管理装置との通信を行う。
【００１５】
第１実施形態及び第２実施形態では、前記Ｄ２Ｄ通信リソースは、ユーザデータに相当するＤ２Ｄ通信データの送信及び前記Ｄ２Ｄ通信の制御に必要なＤ２Ｄ制御情報の送信に共用される無線リソースである。前記ステップＣは、前記リソース管理装置から割り当てられた前記Ｄ２Ｄ通信リソースを用いて、前記Ｄ２Ｄ通信データ及び前記Ｄ２Ｄ制御情報を送信するステップを含む。
【００１６】
或いは、第１実施形態及び第２実施形態では、前記Ｄ２Ｄ通信リソースとＤ２Ｄ制御リソースとの対応関係が予め規定されている。前記ステップＣは、前記リソース管理装置から割り当てられた前記Ｄ２Ｄ通信リソースを用いて、ユーザデータに相当するＤ２Ｄ通信データを送信するステップと、前記リソース管理装置から割り当てられた前記Ｄ２Ｄ通信リソースに対応する前記Ｄ２Ｄ制御リソースを用いて、前記Ｄ２Ｄ通信の制御に必要なＤ２Ｄ制御情報を送信するステップと、を含む。
【００１７】
或いは、第１実施形態及び第２実施形態では、前記ステップＢにおいて、前記リソース管理装置は、前記Ｄ２Ｄ通信リソースだけでなくＤ２Ｄ制御リソースも前記無線通信装置に割り当てている。前記ステップＣは、前記リソース管理装置から割り当てられた前記Ｄ２Ｄ通信リソースを用いて、ユーザデータに相当するＤ２Ｄ通信データを送信するステップと、前記リソース管理装置から割り当てられた前記Ｄ２Ｄ制御リソースを用いて、前記Ｄ２Ｄ通信の制御のためのＤ２Ｄ制御情報を送信するステップと、を含む。
【００１８】
第１実施形態及び第２実施形態では、前記ステップＣは、前記無線通信装置が、前記Ｄ２Ｄ通信の開始時において、前記Ｄ２Ｄ通信におけるチャネル推定に必要なＤ２Ｄ参照信号の送信を設定する設定情報を、前記無線通信装置との前記Ｄ２Ｄ通信を行うユーザ端末に送信するステップと、前記ユーザ端末が、前記設定情報に基づいて、前記Ｄ２Ｄ参照信号を前記無線通信装置に送信するステップと、前記無線通信装置が、前記Ｄ２Ｄ参照信号に基づいて、前記ユーザ端末に対するスケジューリングを行うステップと、を含む。
【００１９】
第１実施形態及び第２実施形態では、前記ステップＣは、前記無線通信装置が、前記Ｄ２Ｄ通信の開始時において、前記Ｄ２Ｄ通信における送信バッファ状態を示すＤ２Ｄバッファ状態報告の送信を設定する設定情報を、前記無線通信装置との前記Ｄ２Ｄ通信を行うユーザ端末に送信するステップと、前記ユーザ端末が、前記設定情報に基づいて、前記Ｄ２Ｄバッファ状態報告を前記無線通信装置に送信するステップと、前記無線通信装置が、前記Ｄ２Ｄバッファ状態報告に基づいて、前記ユーザ端末に対するスケジューリングを行うステップと、を含む。
【００２０】
第１実施形態及び第２実施形態では、前記通信制御方法は、前記リソース管理装置が、前記Ｄ２Ｄ通信の状況に関するＤ２Ｄ通信パラメータの報告を前記無線通信装置に要求するステップＤと、前記無線通信装置が、前記リソース管理装置からの要求に応じて、前記Ｄ２Ｄ通信パラメータを前記リソース管理装置に報告するステップＥと、をさらに有する。前記Ｄ２Ｄ通信パラメータは、前記Ｄ２Ｄ通信の制御に必要なＤ２Ｄ制御情報、特定の無線リソースにおける干渉情報、前記Ｄ２Ｄ通信におけるチャネル推定の情報、のうち少なくとも１つを含む。
【００２１】
第１実施形態及び第２実施形態では、前記干渉情報は、前記特定の無線リソースを示すリソース識別情報及び干渉レベルを示す干渉レベル情報を含む。
【００２２】
第１実施形態及び第２実施形態では、前記ステップＤにおいて、前記リソース管理装置は、前記Ｄ２Ｄ通信パラメータの周期的な報告を前記無線通信装置に要求する。前記ステップＥにおいて、前記無線通信装置は、前記Ｄ２Ｄ通信パラメータを周期的に前記リソース管理装置に報告する。
【００２３】
或いは、第１実施形態及び第２実施形態では、前記ステップＤにおいて、前記リソース管理装置は、前記Ｄ２Ｄ通信パラメータの非周期的な報告を前記無線通信装置に要求するとともに、前記Ｄ２Ｄ通信パラメータを報告する条件を定める閾値を前記無線通信装置に通知する。前記ステップＥにおいて、前記無線通信装置は、前記閾値に基づいて、前記Ｄ２Ｄ通信パラメータを非周期的に前記リソース管理装置に報告する。
【００２４】
第１実施形態及び第２実施形態に係る無線通信装置は、移動体通信の一方式であって近傍の装置間で直接的に通信を行うＤ２Ｄ通信をサポートする。前記無線通信装置は、前記Ｄ２Ｄ通信に利用可能な無線リソースであるＤ２Ｄ通信リソースの割り当てを、移動体ネットワークに含まれるリソース管理装置に要求する制御部を有する。前記無線通信装置には、複数の移動体ネットワークオペレータ又は複数の通信システムが共用する特定周波数帯の中から、前記Ｄ２Ｄ通信リソースが前記リソース管理装置から割り当てられる。前記制御部は、前記リソース管理装置から割り当てられた前記Ｄ２Ｄ通信リソースを用いて、前記Ｄ２Ｄ通信を行う。
【００２５】
第１実施形態及び第２実施形態に係るリソース管理装置は、移動体ネットワークに含まれる。前記リソース管理装置は、移動体通信の一方式であって近傍の装置間で直接的に通信を行うＤ２Ｄ通信をサポートする無線通信装置から、前記Ｄ２Ｄ通信に利用可能な無線リソースであるＤ２Ｄ通信リソースの割り当ての要求を受信する受信部と、前記要求に基づいて、複数の移動体ネットワークオペレータ又は複数の通信システムが共用する特定周波数帯の中から、前記Ｄ２Ｄ通信リソースを前記無線通信装置に割り当てる制御部と、を有する。
【００２６】
［第１実施形態］
以下において、３ＧＰＰ規格に基づく移動体通信システムであるＬＴＥシステムに本発明を適用する場合の実施形態を説明する。
【００２７】
（１）ＬＴＥシステム
図１は、第１実施形態に係るＬＴＥシステムの構成図である。
【００２８】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を有する。
【００２９】
ＵＥ１００は、ユーザ端末に相当する。ＵＥ１００は、移動型の通信装置であり、セル（サービングセル）との無線通信を行う。ＵＥ１００の構成については後述する。
【００３０】
Ｅ−ＵＴＲＡＮ１０は、無線アクセスネットワークに相当する。Ｅ−ＵＴＲＡＮ１０は、複数のｅＮＢ（ｅｖｏｌｖｅｄ  Ｎｏｄｅ−Ｂ）２００を含む。ｅＮＢ２００は、基地局に相当する。ｅＮＢ２００は、Ｘ２インターフェイスを介して相互に接続される。ｅＮＢ２００の構成については後述する。
【００３１】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３２】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。ＳＧＷは、ユーザデータの転送制御を行う。ＭＭＥ／Ｓ−ＧＷ３００は、Ｓ１インターフェイスを介してｅＮＢ２００と接続される。
【００３３】
Ｅ−ＵＴＲＡＮ１０及びＥＰＣ２０により、ＬＴＥシステムのネットワーク（以下「ＬＴＥネットワーク」という）が構成される。ＬＴＥネットワークは、移動体ネットワークに相当する。
【００３４】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３７】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３８】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を有する。メモリ２３０及びプロセッサ２４０は、制御部を構成する。また、メモリ２３０をプロセッサ２４０と一体化し、このセット（すなわち、チップセット）をプロセッサとしてもよい。
【００３９】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４０】
ネットワークインターフェイス２２０は、Ｘ２インターフェイスを介して近隣ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４１】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４２】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４３】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００４４】
ＭＡＣ層は、データの優先制御、ハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００４６】
ＰＤＣＰ層は、ヘッダ圧縮・伸張、及び暗号化・復号化を行う。
【００４７】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００はＲＲＣコネクティッド状態であり、そうでない場合、ＵＥ１００はＲＲＣアイドル状態である。
【００４８】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４９】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５０】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５１】
（２）適用シナリオ
以下において、第１実施形態に係るＬＴＥシステムの適用シナリオについて説明する。第１実施形態では、特定周波数帯をＬＴＥ通信（移動体通信）に利用する。
【００５２】
特定周波数帯は、複数の移動体ネットワークオペレータ又は複数の通信システムが共用する周波数帯である。換言すると、特定周波数帯は、一の移動体ネットワークオペレータが占有することができない周波数帯である。
【００５３】
特定周波数帯のうちライセンスドシェアドバンドは、周波数の一次利用者のために割り当てられている周波数帯ではあるものの、地理的条件・技術的条件によっては二次利用者も利用可能な周波数帯である。
【００５４】
特定周波数帯がライセンスドシェアドバンドであるケースを想定すると、例えば、特定周波数帯において、テレビ放送の利用者が一次利用者に相当し、ＬＴＥ通信の利用者が二次利用者に相当する。一次利用者は、免許が付与された用途（目的）で特定周波数帯を利用する。すなわち、一次利用者は、二次利用者よりも優先して特定周波数帯を利用するように規定される。
【００５５】
このように、特定周波数帯は、ＬＴＥネットワーク・オペレータ（以下「オペレータ」という）による周波数の一次利用が許可されておらず、一のオペレータが占有できない周波数帯である。
【００５６】
図６は、第１実施形態に係るＬＴＥシステムの適用シナリオを示す図である。
【００５７】
図６に示すように、適用シナリオ１では、ＬＴＥシステムは、オペレータＡのＬＴＥネットワーク１Ａ及びｅＮＢ２００−２を有する。ｅＮＢ２００−２は、オペレータ２により運用されてもよい。ＬＴＥネットワーク１Ａは、ｅＮＢ２００−１Ａ及びＥＰＣ２０Ａを含む。第１実施形態では、ｅＮＢ２００−１Ａは、移動体ネットワークに含まれるリソース管理装置に相当する。
【００５８】
ｅＮＢ２００−２は、特定周波数帯におけるＬＴＥ通信を行う。ｅＮＢ２００−２は、ＬＴＥ通信の一方式であって近傍の装置間で直接的に通信を行うＤ２Ｄ（Ｄｅｖｉｃｅ  ｔｏ  Ｄｅｖｉｃｅ）通信をサポートする。ｅＮＢ２００−２は、Ｄ２Ｄ通信をサポートする無線通信装置に相当する。一般的なＤ２Ｄ通信は、ＵＥ１００同士の直接通信に適用されるが、第１実施形態では、Ｄ２Ｄ通信をサポートする特殊なｅＮＢ２００を想定する。
【００５９】
ｅＮＢ２００−２は、バックホール回線であるｅＮＢ間インターフェイス６００Ａを介して、ｅＮＢ２００−１Ａとのバックホール通信を行う。ｅＮＢ間インターフェイス６００Ａは、例えばＸ２インターフェイスである。
【００６０】
また、適用シナリオ１に係るＬＴＥシステムは、ＬＴＥネットワーク１Ａの外部に設けられたインターフェイスコントローラ４００を有する。インターフェイスコントローラ４００は、インターフェイスコントローラ４００とＬＴＥネットワーク１との間に、ｅＮＢ間インターフェイス６００として使用される通信路を確立する。当該通信路は、例えばＶＰＮ（Ｖｉｒｔｕａｌ  Ｐｒｉｖａｔｅ  Ｎｅｔｗｏｒｋ）である。第１実施形態では、インターフェイスコントローラ４００は、ｅＮＢ２００−２の内部に設けられる。但し、インターフェイスコントローラ４００は、ｅＮＢ２００−２の外部に設けられ、かつｅＮＢ２００−２と接続されていてもよい。
【００６１】
ＬＴＥネットワーク１Ａは、ｅＮＢ２００−２とＬＴＥネットワーク１Ａとの接続点として機能するゲートウェイ５００Ａを有する。図６では、ゲートウェイ５００ＡがｅＮＢ２００−１Ａの外部に設けられるケースを例示している。
【００６２】
このような適用シナリオ１において、ｅＮＢ２００−２は、ｅＮＢ２００−１Ａの制御下で、特定周波数帯におけるＬＴＥ通信を行う。
【００６３】
適用シナリオ２では、ｅＮＢ２００−２は、複数のオペレータ（オペレータＡ及びＢ）により共用される。ｅＮＢ２００−２は、例えば、オペレータＡ及びＢとは独立した企業又は組織（いわゆる、サードパーティ）又はオペレータＡ及びＢの共同企業（いわゆる、ジョイントベンチャー）により運用される。
【００６４】
適用シナリオ２では、ｅＮＢ２００−２は、ｅＮＢ間インターフェイス６００Ｂを介して、オペレータＢのＬＴＥネットワーク１Ｂに設けられたｅＮＢ２００−１Ｂとのバックホール通信を行う。ｅＮＢ間インターフェイス６００Ｂは、例えばＸ２インターフェイスである。ＬＴＥネットワーク１Ｂは、ｅＮＢ２００−２とＬＴＥネットワーク１Ｂとの接続点として機能するゲートウェイ５００Ｂを有する。図６では、ゲートウェイ５００ＢがｅＮＢ２００−１Ｂの内部に設けられるケースを例示している。
【００６５】
複数のオペレータ（オペレータＡ及びＢ）がｅＮＢ２００−２（特定周波数帯）を共用するためのスケジューリング方法としては、例えば以下の２通りの方法がある。
【００６６】
第１のスケジューリング方法は、複数のオペレータが時分割でｅＮＢ２００−２を使用する方法である。例えば１つのサブフレームを１つのオペレータに割り当てる。
【００６７】
第２のスケジューリング方法は、複数のオペレータが同時にｅＮＢ２００−２を使用可能としつつ、オペレータごとに異なる周波数リソースを割り当てる方法である。すなわち、特定周波数帯を複数のオペレータで周波数分割する。この場合、ｅＮＢ２００−２には、複数のオペレータが共用するＭＡＣスケジューラ（統一ＭＡＣスケジューラ）が設けられる。
【００６８】
（３）通信制御方法
以下において、第１実施形態に係る通信制御方法について説明する。第１実施形態に係る通信制御方法は、上述した適用シナリオにおいて用いられる。
【００６９】
図７は、第１実施形態に係る通信制御方法を示すシーケンス図である。ｅＮＢ２００−１は、ＬＴＥネットワーク１に含まれる。ｅＮＢ２００−２は、ＬＴＥ通信の一方式であって近傍の装置間で直接的に通信を行うＤ２Ｄ通信をサポートする。また、ｅＮＢ２００−２は、バックホール回線（ｅＮＢ間インターフェイス６００）を介してｅＮＢ２００−１とのバックホール通信を行う。
【００７０】
まず、ｅＮＢ２００−２は、近傍ＵＥ発見（Ｄｉｓｃｏｖｅｒｙ）手順により自身の近傍のＵＥ１００を発見し、ＵＥ１００とのＤ２Ｄ通信を開始すると判断する。
【００７１】
図７に示すように、ステップＳ１１において、ｅＮＢ２００−２は、Ｄ２Ｄ通信に利用可能な無線リソースであるＤ２Ｄ通信リソースの割り当てを要求する割り当て要求情報をｅＮＢ２００−１に送信する。割り当て要求情報は、特定周波数帯を示す周波数帯情報を含んでもよい。
【００７２】
ステップＳ１２において、ｅＮＢ２００−１は、ｅＮＢ２００−２からの要求に基づいて、特定周波数帯の中からＤ２Ｄ通信リソースをｅＮＢ２００−２に割り当てる。Ｄ２Ｄ通信リソースは、時間リソース及び周波数リソースにより構成される。ｅＮＢ２００−１は、割り当てたＤ２Ｄ通信リソースを示す割り当て通知情報をｅＮＢ２００−２に送信する。
【００７３】
割り当て通知情報は、時間リソースを示す時間リソース情報（１又は複数のサブフレーム）及び周波数リソースを示す周波数リソース情報（１又は複数のリソースブロック）の少なくとも一方を含む。割り当て通知情報は、特定周波数帯を示す周波数帯情報を含んでもよい。割り当て通知情報は、当該割り当てが有効な期間を示す有効期間情報を含んでもよい。ステップＳ１１及びステップＳ１２は、Ｄ２Ｄ通信期間内において繰り返し行われてもよい。
【００７４】
ｅＮＢ２００−２は、ｅＮＢ２００−１からＤ２Ｄ通信リソースの割り当てを受けることにより、ＵＥ１００とのＤ２Ｄ通信が可能な状態になる。Ｄ２Ｄ通信（ステップＳ１６）において、ユーザデータに相当するＤ２Ｄ通信データ及びＤ２Ｄ通信の制御に必要なＤ２Ｄ制御情報が送受信される。Ｄ２Ｄ制御情報は、例えば、スケジューリング情報、ＨＡＲＱ  ＡＣＫ／ＮＡＣＫ、チャネル状態情報（ＣＳＩ）、バッファ状態報告（ＢＳＲ）、パワーヘッドルーム（ＰＨＲ）などである。
【００７５】
Ｄ２Ｄ通信においてＤ２Ｄ制御情報を送受信するためのリソース利用方法としては、以下の２つのパターンがある。
【００７６】
パターン１では、Ｄ２Ｄ通信リソースは、Ｄ２Ｄ通信データの送信及びＤ２Ｄ制御情報の送信に共用される。すなわち、Ｄ２Ｄ制御情報は、Ｄ２Ｄ通信データと抱き合わせ（ピギーバック）で送信される。或いは、Ｄ２Ｄ制御情報の情報量が多いときにＤ２Ｄ制御情報を単独で送信してもよい。
【００７７】
パターン２では、Ｄ２Ｄ通信リソースとは別に、Ｄ２Ｄ制御情報を送受信するためのＤ２Ｄ制御リソースを利用する。Ｄ２Ｄ制御リソースは、時間リソース及び周波数リソースにより構成される。パターン２には、以下の２つのサブパターンがある。
【００７８】
パターン２−１では、Ｄ２Ｄ制御リソースが暗黙的に割り当てられる。具体的には、Ｄ２Ｄ通信リソースとＤ２Ｄ制御リソースとの対応関係（リソース位置関係）が予め規定されている。Ｄ２Ｄ通信リソースを構成する周波数リソース（帯域幅）などに基づいて、Ｄ２Ｄ制御リソースが一意に特定される。
【００７９】
パターン２−２では、Ｄ２Ｄ制御リソースが明示的に割り当てられる。具体的には、ｅＮＢ２００−１は、Ｄ２Ｄ通信リソースだけでなくＤ２Ｄ制御リソースもｅＮＢ２００−２に割り当てる。例えば、ステップＳ１２において、ｅＮＢ２００−１は、割り当て通知情報に、Ｄ２Ｄ制御リソースを示す情報を含める。
【００８０】
ステップＳ１３において、ｅＮＢ２００−１は、Ｄ２Ｄ通信の状況に関するＤ２Ｄ通信パラメータの報告を要求（設定）する報告要求をｅＮＢ２００−２に送信する。ステップＳ１３は、ステップＳ１２と同時に行われてもよい。
【００８１】
ｅＮＢ２００−１は、Ｄ２Ｄ通信パラメータの周期的な報告をｅＮＢ２００−２に要求する。或いは、ｅＮＢ２００−１は、Ｄ２Ｄ通信パラメータの非周期的な報告をｅＮＢ２００−２に要求するとともに、Ｄ２Ｄ通信パラメータを報告する条件を定める閾値をｅＮＢ２００−２に通知してもよい。
【００８２】
Ｄ２Ｄ通信パラメータは、Ｄ２Ｄ制御情報、特定の無線リソースにおける干渉情報、Ｄ２Ｄ通信におけるチャネル推定の情報、のうち少なくとも１つを含む。干渉情報は、当該特定の無線リソースを示すリソース識別情報（サブフレーム情報、リソースブロック情報など）及び干渉レベルを示す干渉レベル情報を含む。特定の無線リソースとは、ｅＮＢ２００−２からＵＥ１００に割り当てる無線リソース、又はその他の無線リソースである。チャネル推定情報は、後述するＤ２Ｄ参照信号を用いて得られる情報である。これらのＤ２Ｄ通信パラメータをｅＮＢ２００−２からｅＮＢ２００−１に報告することにより、ｅＮＢ２００−１は、特定周波数帯における通信状況を把握できる。
【００８３】
ステップＳ１４において、ｅＮＢ２００−２は、Ｄ２Ｄ通信におけるチャネル推定に必要なＤ２Ｄ参照信号の送信を設定（要求）する設定情報をＵＥ１００に送信する。当該設定情報は、Ｄ２Ｄ参照信号の送信に割り当てる無線リソースを示す情報を含んでもよい。また、当該設定情報は、Ｄ２Ｄ参照信号の繰り返し送信（Ｒｅｐｅｔｉｔｉｏｎ）回数を示す情報を含んでもよい。さらに、ｅＮＢ２００−２は、Ｄ２Ｄ通信における送信バッファ状態を示すＤ２Ｄバッファ状態報告（ＢＳＲ）の送信を設定（要求）する設定情報をＵＥ１００に送信してもよい。以下において、Ｄ２Ｄ参照信号及びＤ２Ｄ  ＢＳＲを単に「フィードバック情報」と称する。
【００８４】
このように、ｅＮＢ２００−２は、Ｄ２Ｄ通信の開始時に、フィードバック情報の送信をＵＥ１００に設定する。ｅＮＢ２００−２は、ｅＮＢ２００−１からＤ２Ｄ通信リソースの割り当てを受けた後、ＵＥ１００に対する最初の送信により、フィードバック設定情報をＵＥ１００に送信することが好ましい。
【００８５】
ステップＳ１５において、ＵＥ１００は、フィードバック設定情報に基づいて、フィードバック情報（Ｄ２Ｄ参照信号、Ｄ２Ｄ  ＢＳＲ）をｅＮＢ２００−２に送信する。ｅＮＢ２００−２は、ＵＥ１００から受信するフィードバック情報に基づいて、ＵＥ１００に対するスケジューリングを行う。具体的には、ｅＮＢ２００−２は、ｅＮＢ２００−１から割り当てられたＤ２Ｄ通信リソースの中から、ＵＥ１００に割り当てる適切な無線リソースを決定する。また、ｅＮＢ２００−２は、Ｄ２Ｄ通信における変調・符号化方式（ＭＣＳ）の決定等を行ってもよい。
【００８６】
ステップＳ１６において、ｅＮＢ２００−２は、ＵＥ１００とのＤ２Ｄ通信を行う。上述したパターン１では、ｅＮＢ２００−２は、Ｄ２Ｄ通信リソースを用いて、Ｄ２Ｄ通信データ及びＤ２Ｄ制御情報をＵＥ１００に送信する。Ｄ２Ｄ制御情報は、スケジューリング情報及びＨＡＲＱ  ＡＣＫ／ＮＡＣＫ等を含む。上述したパターン２では、ｅＮＢ２００−２は、Ｄ２Ｄ通信リソースを用いてＤ２Ｄ通信データを送信し、Ｄ２Ｄ制御リソースを用いてＤ２Ｄ制御情報を送信する。
【００８７】
ｅＮＢ２００−２は、ＵＥ１００とのＤ２Ｄ通信を行う際に、Ｄ２Ｄ通信パラメータを取得（測定）する。上述したように、Ｄ２Ｄ通信パラメータは、Ｄ２Ｄ制御情報、特定の無線リソースにおける干渉情報、Ｄ２Ｄ通信におけるチャネル推定の情報、のうち少なくとも１つを含む。
【００８８】
ステップＳ１７において、ｅＮＢ２００−２は、ｅＮＢ２００−１からの要求（ステップＳ１３）に応じて、Ｄ２Ｄ通信パラメータを含む報告情報をｅＮＢ２００−１に送信する。周期的な報告が要求されている場合、ｅＮＢ２００−２は、報告情報を周期的にｅＮＢ２００−１に送信する。これに対し、非周期的な報告が要求されている場合、ｅＮＢ２００−２は、ｅＮＢ２００−１から通知された閾値に基づいて、報告情報を非周期的にｅＮＢ２００−１に送信する。
【００８９】
ｅＮＢ２００−１は、報告情報に基づいて、現在割り当てているＤ２Ｄ通信リソースの利用停止を決定し、その旨をｅＮＢ２００−２に指示してもよい。ｅＮＢ２００−１は、報告情報に基づいて、割り当てるＤ２Ｄ通信リソースを更新し、更新後のＤ２Ｄ通信リソースをｅＮＢ２００−２に通知してもよい。
【００９０】
（４）まとめ
第１実施形態に係る通信制御方法は、ｅＮＢ２００−２が、Ｄ２Ｄ通信リソースの割り当てをｅＮＢ２００−１に要求するステップＳ１１と、ｅＮＢ２００−１が、ｅＮＢ２００−２からの要求に基づいて、特定周波数帯の中からＤ２Ｄ通信リソースをｅＮＢ２００−２に割り当てるステップＳ１２と、ｅＮＢ２００−２が、ｅＮＢ２００−１から割り当てられたＤ２Ｄ通信リソースを用いてＤ２Ｄ通信を行うステップＳ１６と、を有する。
【００９１】
このように、ｅＮＢ２００−１は、特定周波数帯におけるリソース割り当てを管理する。また、Ｄ２Ｄ通信は通信範囲が制限されている。よって、ｅＮＢ２００−１が特定周波数帯の中からＤ２Ｄ通信リソースを適切にｅＮＢ２００−２に割り当てることにより、一次利用者との間の干渉を避けながら特定周波数帯をＬＴＥ通信に利用できる。
【００９２】
［第１実施形態の変更例］
上述した第１実施形態では、特定周波数帯におけるリソース割り当てを管理するリソース管理装置がｅＮＢ２００−１であるケースを例示した。
【００９３】
しかしながら、リソース管理装置は、ｅＮＢ２００−１以外の装置であってもよい。例えば、リソース管理装置は、ＲＡＮに含まれる、ｅＮＢ以外の装置であってもよい。或いは、リソース管理装置は、コアネットワーク（ＥＰＣ２０）に含まれる装置であってもよい。リソース管理装置がコアネットワーク（ＥＰＣ２０）に含まれる場合の一例としては、リソース管理装置が保守監視装置（ＯＡＭ）である場合が挙げられる。この場合、図７におけるｅＮＢ２００−１をＯＡＭと読み替えることにより、図７のフローを適用可能である。
【００９４】
［第２実施形態］
以下において、第２実施形態について、第１実施形態との相違点を主として説明する。
【００９５】
上述した第１実施形態では、ｅＮＢ２００−２（無線通信装置）は、バックホール回線を介してｅＮＢ２００−１（リソース管理装置）との通信を行っていた。
【００９６】
これに対し、第２実施形態では、ｅＮＢ２００−２は、無線回線（無線インターフェイス）を介してｅＮＢ２００−１との通信を行う。すなわち、第２実施形態に係るｅＮＢ２００−２は、ＵＥ１００の機能を有する特殊なｅＮＢ２００であり、ＵＥ１００としてＬＴＥネットワーク１に登録する。ｅＮＢ２００−１の視点では、ｅＮＢ２００−２はＵＥ１００とみなされる。この場合、図７のフローにおいて、ステップＳ１１よりも前に、ｅＮＢ２００−２がｅＮＢ２００−１に接続するステップが必要になる。それ以外は、図７のフローをそのまま適用可能である。
【００９７】
或いは、第２実施形態では、ｅＮＢ２００−２の代わりに、Ｄ２Ｄ通信におけるスケジューリング機能を有するＵＥ１００（無線通信装置）を使用する。このようなＵＥ１００はクラスタヘッドＵＥと称されることがある。この場合、図７におけるｅＮＢ２００−２をクラスタヘッドＵＥと読み替えることにより、図７のフローを適用可能である。但し、図７のフローにおいて、ステップＳ１１よりも前に、クラスタヘッドＵＥがｅＮＢ２００−１に接続するステップが必要になる。
【００９８】
［第２実施形態の変更例］
第２実施形態では、ｅＮＢ２００−１主導で、例えばサブフレーム単位のような動的なＤ２Ｄ通信リソースの割り当てを行ってもよい。図８は、第２実施形態の変更例を示すシーケンス図である。図８において、ＵＥ１００−１及びＵＥ１００−２はｅＮＢ２００−１のカバレッジ内においてｅＮＢ２００−１と接続している。
【００９９】
図８に示すように、ステップＳ１０１において、ＵＥ１００−１及びＵＥ１００−２は、Ｄ２Ｄ通信リソースの割り当てを要求する割り当て要求情報をｅＮＢ２００−１に送信する。
【０１００】
ステップＳ１０２において、ｅＮＢ２００−１は、ＵＥ１００−１及びＵＥ１００−２からの要求に基づいて、特定周波数帯の中からＤ２Ｄ通信リソースを割り当てる。ｅＮＢ２００−１は、割り当てたＤ２Ｄ通信リソースを示す割り当て通知情報をＵＥ１００−１及びＵＥ１００−２に送信する。割り当て通知情報は、Ｄ２Ｄ通信の最大送信電力を示す電力情報を含んでもよい。
【０１０１】
ステップＳ１０３において、ＵＥ１００−１は、Ｄ２Ｄ制御情報を送信するともに、ＵＥ１００−２から送信されたＤ２Ｄ制御情報を受信する。ＵＥ１００−２は、Ｄ２Ｄ制御情報を送信するともに、ＵＥ１００−１から送信されたＤ２Ｄ制御情報を受信する。
【０１０２】
その際、ＵＥ１００−１及びＵＥ１００−２は、Ｄ２Ｄ通信に用いる送信電力を決定する動作（Ｔｒａｎｓｍｉｓｓｉｏｎ  ｐｏｗｅｒ  ｄｅｔｅｃｔｉｏｎ）を行う。例えば、Ｄ２Ｄ用の参照信号を用いて、Ｄ２Ｄ通信に用いる送信電力を決定する。また、ＵＥ１００−１及びＵＥ１００−２は、Ｄ２Ｄ通信における送信側／受信側を決定する動作（Ｔｘ／Ｒｘ  ｄｅｃｉｓｉｏｎ）を行う。例えば、バッファ状態などを参照して、どちらが送信するかを決定する。なお、割り当てられた単位時間において送信側／受信側が変わらなくてもよく、サブフレーム単位や所定パターンで送信側／受信側が入れ替わってもよい。
【０１０３】
ステップＳ１０４及びステップＳ１０５において、ＵＥ１００−１及びＵＥ１００−２のうち一方（送信側）から他方（受信側）へＤ２Ｄ通信データを送信する。
【０１０４】
ステップＳ１０６以降の動作は、ステップＳ１０１以降の動作と同様である。
【０１０５】
［その他の実施形態］
上述した第１実施形態及び第２実施形態では、特定周波数帯がライセンスドシェアドバンドであるケースを例示した。しかしながら、特定周波数帯は、２．４ＧＨｚ帯などのＩＳＭ（Ｉｎｄｕｓｔｒｙ−Ｓｃｉｅｎｃｅ−Ｍｅｄｉｃａｌ）バンド、すなわちアンライセンスドバンドであってもよい。
【０１０６】
また、上述した第１実施形態及び第２実施形態では、移動体通信システムの一例としてＬＴＥシステムを説明したが、ＬＴＥシステムに限定されるものではなく、ＬＴＥシステム以外の移動体システムに本発明を適用してもよい。
【０１０７】
日本国特許出願第２０１４−０８４８５２号（２０１４年４月１６日出願）の全内容が、参照により本願明細書に組み込まれている。
【産業上の利用可能性】
【０１０８】
本発明は、無線通信分野において有用である。
【図１】
2015159756.tif 000003
【図２】
2015159756.tif 000004
【図３】
2015159756.tif 000005
【図４】
2015159756.tif 000006
【図５】
2015159756.tif 000007
【図６】
2015159756.tif 000008
【図７】
2015159756.tif 000009
【図８】
2015159756.tif 000010
【国際調査報告】
2015159756.tif 000011
2015159756.tif 000012
2015159756.tif 000013
2015159756.tif 000014